(57)【要約】    【課題】  フィラメント電極加熱トランスの構成を改良することでフィラメント電極の加熱損失を低減した放電ランプ点灯装置および電球形蛍光ランプを提供する。    【解決手段】  放電ランプ点灯装置は、フィラメント電極２ａ、２ｂを備えた放電ランプＤＬを付勢して点灯する高周波点灯回路ＨＯＣと；１次巻線ｗｐが高周波点灯回路ＨＯＣの出力端および放電ランプＤＬの間に直列に挿入され、２次巻線ｗｓ１、ｗｓ２が放電ランプＤＬのフィラメント電極２ａ、２ｂを加熱するように接続するとともに、始動時に２次巻線ｗｓ１、ｗｓ２に誘起された電圧により放電ランプＤＬのフィラメント電極２ａ、２ｂを加熱し、放電ランプＤＬの点灯後の温度上昇によりフィラメント電極２ａ、２ｂの加熱を実質的に停止するように低いキュリー温度を有するコア３を備えたフィラメント電極加熱トランスＦＨＴと；を具備している。【選択図】    図２
2005340060.tif 000002
【特許請求の範囲】
【請求項１】
フィラメント電極を備えた放電ランプを付勢して点灯する高周波点灯回路と；
１次巻線が高周波点灯回路の出力端および放電ランプの間に直列に挿入され、２次巻線が放電ランプのフィラメント電極を加熱するように接続するとともに、始動時に２次巻線に誘起された電圧により放電ランプのフィラメント電極を加熱し、放電ランプの点灯後の温度上昇によりフィラメント電極の加熱を実質的に停止するように低いキュリー温度を有するコアを備えたフィラメント電極加熱トランスと；
を具備していることを特徴とする放電ランプ点灯装置。
【請求項２】
フィラメント電極を備えた放電ランプを具備していることを特徴とする請求項１記載の放電ランプ点灯装置。
【請求項３】
放電ランプに並列接続するとともにフィラメント電極加熱トランスの１次巻線と直列接続した正特性非直線抵抗器を具備していることを特徴とする請求項１または２記載の放電ランプ点灯装置。
【請求項４】
フィラメント電極を備えた発光管と；
ハーフブリッジ形高周波インバータ、ならびに直流カットコンデンサ、限流インダクタおよび共振コンデンサを直列に含み、発光管が共振コンデンサに並列接続した負荷回路を備えている高周波点灯回路と；
発光管に並列接続した正特性非直線抵抗器と；
１次巻線が高周波点灯回路の共振コンデンサおよび発光管の間において発光管に直列に挿入され、２次巻線が放電ランプのフィラメント電極を加熱するように接続するとともに、始動時に２次巻線に誘起された電圧により放電ランプのフィラメント電極を加熱し、放電ランプの点灯後の温度上昇によりフィラメント電極の加熱を実質的に停止するように低いキュリー温度を有するコアを備えたフィラメント電極加熱トランスと；
を具備していることを特徴とする電球形蛍光ランプ。
【発明の詳細な説明】
【技術分野】
【０００１】
本発明は、放電ランプを高周波点灯する放電ランプ点灯装置および電球形蛍光ランプに関する。
【背景技術】
【０００２】
電球形蛍光ランプにおける電極フィラメントコイルによる加熱電力損失の低減および点滅寿命回数の増大を図るために、電極フィラメントコイルに並列に温度負特性抵抗素子を接続し、かつ、蛍光発光管に並列に接続されたコンデンサに温度正特性抵抗素子を並列接続して、予熱時においては温度正特性抵抗素子の抵抗インピーダンス値が低く、温度負特性抵抗素子の抵抗インピーダンス値が高い状態として電極フィラメントコイルを予熱し、予熱の過程で温度正特性抵抗素子の温度が予熱電流により上昇するにつれ、温度正特性抵抗素子の抵抗インピーダンス値が高まるとともに、温度負特性抵抗素子の温度も上昇してその抵抗インピーダンス値が低くなり、蛍光発光管が始動し、蛍光発光管の始動後の定常点灯時においては、温度負特性抵抗素子の温度が高く抵抗インピーダンス値が低い状態を維持するように構成することが知られている（特許文献１参照。）。
【特許文献１】特許第３４１２８１４号公報
【発明の開示】
【発明が解決しようとする課題】
【０００３】
特許文献１の場合、温度負特性抵抗素子および温度正特性抵抗素子を付加するので、部品点数が多くなるという問題がある。
【０００４】
本発明は、フィラメント電極加熱トランスの構成を改良することでフィラメント電極の加熱損失を低減した放電ランプ点灯装置および電球形蛍光ランプを提供することを目的とする。
【課題を解決するための手段】
【０００５】
請求項１に係る発明の放電ランプ点灯装置は、フィラメント電極を備えた放電ランプを付勢して点灯する高周波点灯回路と；１次巻線が高周波点灯回路の出力端および放電ランプの間に直列に挿入され、２次巻線が放電ランプのフィラメント電極を加熱するように接続するとともに、始動時に２次巻線に誘起された電圧により放電ランプのフィラメント電極を加熱し、放電ランプの点灯後の温度上昇によりフィラメント電極の加熱を実質的に停止するように低いキュリー温度を有するコアを備えたフィラメント電極加熱トランスと；を具備していることを特徴としている。
【０００６】
本発明および以下の各発明において、特に指定しない限り用語の定義および技術的意味は次による。
【０００７】
〔放電ランプについて〕    本発明において、放電ランプは、フィラメント電極を備えている各種放電ランプであることを許容する。例えば、蛍光ランプおよび殺菌ランプなどである。なお、蛍光ランプは、バルブの内面側に蛍光体層を備えている放電ランプをいう。例えば、一般照明用の直管形、環形およびコンパクト形などに加え、電球形蛍光ランプなどの蛍光ランプが含まれる。フィラメント電極は、フィラメントを通電加熱したときに熱電子を放出する熱陰極形電極をいう。
【０００８】
〔高周波点灯回路について〕    高周波点灯回路は、高周波発生手段および限流手段を備えている。高周波発生手段は、商用交流電源などの低周波交流や電池電源などの直流を高周波交流に変換する手段であり、インバータなどの変換回路を主体として構成することができる。この場合、変換回路はどのような構成であってもよい。
【０００９】
また、低周波交流電源を用いて高周波交流を発生させる場合、低周波交流をいったん直流に変換してから高周波交流に変換することができる。インバータを用いて高周波に変換する場合、インバータはどのような回路方式であってもよい。例えば、並列インバータ、ハーフブリッジインバータ、一石式インバータなどを用いることができる。また、インバータは、自励式および他励式のいずれであってもよい。
【００１０】
限流手段は、放電ランプを安定に点灯するために、高周波発生手段と放電ランプとの間に直列に介在して、ランプ電流を所定値に限流する手段であり、適当なインピーダンス、例えばインダクタンスからなる。インダクタンスを限流手段とする場合、チョークコイルやトランスなどからなるインダクタを用いることができる。
【００１１】
また、高周波点灯回路は、入力端子および出力端子を備えている。入力端子は、電源に接続する。電源は、低周波交流電源および直流電源のいずれであってもよい。低周波交流電源の場合には、高周波点灯回路の内部に整流化直流回路部を配設することができる。なお、いずれの電源であっても、所望により例えば昇圧チョッパなどの直流電圧変換回路部を配設することができる。出力端子は、高周波を出力し、放電ランプおよび後述するフィラメント加熱トランスを付勢するように接続される。
【００１２】
さらに、高周波点灯回路は、上記の構成に加えて所望により、負荷共振回路および直流カットコンデンサなどを備えることが許容される。負荷共振回路は、限流手段としてのインダクタおよび共振コンデンサを含む直列共振回路を形成して、始動時に放電ランプに共振により高くなった電圧を印加して始動を促進する。上記インダクタは、後述するフィラメント電極加熱トランスおよび放電ランプと直列接続するように接続される。共振コンデンサは、放電ランプに並列的に接続される。すなわち、放電ランプに直接並列接続したり、フィラメント電極加熱トランスを介して放電ランプに間接的に並列接続したりすることができる。
【００１３】
なお、本発明において、高周波の周波数は、特段限定されないが、２０ｋＨｚ以上であれば、放電ランプの発光効率が向上するとともに、可聴周波数の問題も回避できる。
【００１４】
〔フィラメント電極加熱トランスについて〕    フィラメント電極加熱トランスは、放電ランプのフィラメント電極を始動時に予熱するための手段である。また、フィラメント電極加熱トランスは、１次巻線、２次巻線およびコアを備えている。１次巻線は、高周波点灯回路の出力端子および放電ランプの間に直列に挿入される。
【００１５】
２次巻線は、少なくともその１つが備えられていて、放電ランプの少なくとも一方のフィラメント電極の両端に接続する。すなわち、放電ランプは、一対のフィラメント電極の両方または一方の両端がフィラメント加熱トランスの２次巻線に接続される。
【００１６】
コアは、始動時に２次巻線に誘起された電圧により放電ランプのフィラメント電極を加熱し、放電ランプの点灯後の温度上昇によりフィラメント電極の加熱を実質的に停止するように低いキュリー温度を有する材料により形成されている。すなわち、コアは、許容される周囲温度である３５℃より高い温度で、かつ、放電ランプの点灯後に到達するフィラメント加熱トランスの周囲温度より低い温度のキュリー温度を有している。このようなコアは、例えばＭｎ−Ｚｎ系またはＮｉ−Ｚｎ系のフェライトにおいて主成分の配合比および添加剤などの調整により得ることができる。
【００１７】
〔本発明の作用について〕    本発明の放電ランプ点灯装置は、以下のように動作する。すなわち、放電ランプ点灯装置の電源を投入すると、高周波点灯回路が作動してその出力端子間に高周波電圧が出力される。そのため、高周波交流電圧は、フィラメント電極加熱トランスを経由して放電ランプの一対のフィラメント電極間に印加される。一対の電極間に高周波交流電圧が印加されると、放電ランプが電極間で微放電を開始するので、これに伴ってフィラメント電極加熱トランスが付勢される。なお、放電ランプに負荷共振回路の共振コンデンサや後述する正特性抵抗器などが並列接続している場合には、高周波電圧の印加と同時に上記回路素子に電流が流れるので、放電ランプが電極間で微放電を開始するとしないとにかかわらず、フィラメント電極加熱トランスも同時に付勢される。
【００１８】
フィラメント電極加熱トランスが付勢すなわち１次巻線が励磁されると、トランス作用によりその２次巻線にフィラメント電極加熱電圧が誘起される。誘起されたフィラメント電極加熱電圧は、フィラメント電極に印加されるので、フィラメント電極にはフィラメント加熱電流が流れて、フィラメント電極は加熱される。
【００１９】
フィラメント電極が加熱されると、そこから熱電子が豊富に放出され、一対のフィラメント電極間に印加されている高周波交流電圧により反対極側へ吸引されて移動し、放電媒体の原子に衝突してこれを電離する。その結果、電子が急激に増加し、かつ、電界によって加速されるので、放電ランプが始動して点灯する。放電媒体、例えば水銀の原子は、それが電離する際にエネルギーを受けて励起されて紫外線を放射する。蛍光ランプの場合、放射した紫外線によりバルブの内面側に形成された蛍光体層の蛍光体粒子が励起されて可視光を発生する。
【００２０】
放電ランプが点灯すると、自己発熱や高周波点灯回路や放電ランプなどからの伝導熱のために、フィラメント電極加熱トランスのコアが温度上昇して、やがてキュリー温度に到達する。コアがキュリー温度に達すると、フィラメント電極加熱トランスは、そのトランス作用が弱まり、２次巻線の誘起電圧が低下する。その結果、フィラメント電極加熱トランスによるフィラメント電極の加熱は、実効的に停止する。したがって、放電ランプの点灯中において、フィラメント電極加熱トランスによってフィラメント電極に生じるフィラメント電極加熱損失を削減することができる。なお、本発明においては、フィラメント電極加熱トランスのトランス作用が放電ランプの点灯中完全に停止することが好ましいが、コアのヒステリシス特性の関係で多少のトランス作用が残存したとしても、それなりにフィラメント電極加熱損失の削減に寄与するので、許容されるものとする。
【００２１】
また、本発明においては、フィラメント電極加熱トランスの１次および２次巻線の巻数を適当に設定したり、負荷共振回路などの回路条件を適当に設定したりすることによって、適切なフィラメント電極加熱を容易に実現することができる。
【００２２】
請求項２に係る発明の放電ランプ点灯装置は、請求項１記載の放電ランプ点灯装置において、フィラメント電極を備えた放電ランプを具備していることを特徴としている。
【００２３】
本発明は、放電ランプをその一構成要素として含んでいる以外は請求項１に係る発明と同様である。
【００２４】
請求項３に係る発明の放電ランプ点灯装置は、請求項１または２記載の放電ランプ点灯装置において、放電ランプに並列接続するとともにフィラメント加熱トランスの１次巻線と直列接続した正特性非直線抵抗器を具備していることを特徴としている。
【００２５】
正特性非直線抵抗器は、正の温度係数を有する非直線抵抗器であり、その温度が上昇すると、抵抗値が増大する性質を有している。そして、正特性非直線抵抗器は、始動時にはその抵抗値が低く、放電ランプの安定点灯時には高くなっている。
【００２６】
本発明において、放電ランプ点灯装置の電源を投入する前の正特性非直線抵抗器は、周囲温度まで冷却した状態であるから、その抵抗値が小さい。このため、放電ランプ点灯装置の電源を投入すると、正特性非直線抵抗器に比較的大きな電流が流れる。この電流は、フィラメント電極加熱トランスの１次巻線を流れるので、その２次巻線には比較的高いフィラメント電極加熱電圧が誘起される。この電圧が印加されると、比較的大きなフィラメント電極加熱電流が流れるので、フィラメント電極は、急速に、しかも適切に加熱される。このため、放電ランプは、熱電子が十分豊富に放出されている状態下で速やかに始動して点灯する。その結果、放電ランプの点滅寿命回数が向上する。
【００２７】
請求項４に係る発明の電球形蛍光ランプは、フィラメント電極を備えた発光管と；ハーフブリッジ形高周波インバータ、ならびに直流カットコンデンサ、限流インダクタおよび共振コンデンサを直列に含み、発光管が共振コンデンサに並列接続した負荷回路を備えている高周波点灯回路と；発光管に並列接続した正特性非直線抵抗器と；１次巻線が高周波点灯回路の共振コンデンサおよび発光管の間において発光管に直列に挿入され、２次巻線が放電ランプのフィラメント電極を加熱するように接続するとともに、始動時に２次巻線に誘起された電圧により放電ランプのフィラメント電極を加熱し、放電ランプの点灯後の温度上昇によりフィラメント電極の加熱を実質的に停止するように低いキュリー温度を有するコアを備えたフィラメント電極加熱トランスと；を具備していることを特徴としている。
【００２８】
発光管は、バルブ、一対のフィラメント電極、蛍光体層および放電媒体を含んで構成され、蛍光ランプとしての機能を備えている。バルブは、ガラス管などが屈曲されたり、湾曲されたりしてなるコンパクトな形状をなしていて、その内部に放電路が形成されている。一対のフィラメント電極は、上記放電路内の両端近傍に位置するようにバルブ内に封装されている。蛍光体層は、バルブの内面側に保護膜を介して、または介さないで形成されている。放電媒体には、水銀およびアルゴンなどの希ガスを用いることができる。なお、水銀は、アマルガムとして封入することができる。また、所望により、フィラメント電極の近傍にインジウムなどからなる補助アマルガムを配設することができる。
【００２９】
高周波点灯回路は、ハーフブリッジ形高周波インバータおよび負荷回路を備えている。ハーフブリッジ形高周波インバータは、直流電圧を高周波電圧に変換する。なお、ハーフブリッジ形高周波インバータの入力端に直流電圧を供給するために、高周波点灯回路は、整流化直流電源部を備えている。
【００３０】
負荷回路は、直流カットコンデンサ、限流インダクタおよび共振コンデンサを直列に含み、主として限流インダクタおよび共振コンデンサによって直列共振回路を形成している。直流カットコンデンサは、ハーフブリッジ形高周波インバータから直流成分が負荷回路側へ流出するのを阻止する。また、負荷回路は、その両端がハーフブリッジ形高周波インバーの出力端間に接続している。さらに、負荷回路の共振コンデンサには、発光管が並列接続する。
【００３１】
正特性非直線抵抗器は、発光管に並列接続している。また、正特性非直線抵抗器は、請求項３に係る発明におけるのと同様に構成されている。
【００３２】
フィラメント電極加熱トランスは、請求項１ないし３におけるのと同様に構成されている。
【００３３】
以上の各構成要素が一体化され、さらに口金が装着されて電球形蛍光ランプが構成されている。
【００３４】
本発明においては、電球形蛍光ランプの電源を投入してハーフブリッジ形高周波インバータが動作を開始して高周波電圧が発生すると、その出力端から負荷回路の直流カットコンデンサ、限流インダクタ、フィラメント電極加熱トランスの１次巻線ならびに正特性非直線抵抗器および共振コンデンサの並列回路からなる直列回路を高周波交流電流が流れる。このときの高周波交流電流は、正特性非直線抵抗器の抵抗値が小さいので、比較的大きい値となる。
【００３５】
フィラメント電極加熱トランスは、その１次巻線に比較的大きな高周波交流電流が流れることにより、その２次巻線間に比較的大きなフィラメント電極加熱電圧が誘起される。２次巻線がフィラメント電極の両端間に接続しているので、フィラメント電極は、比較的大きなフィラメント電極加熱電圧の印加により流れる比較的大きな高周波交流電流によって適切に加熱されて熱電子放射状態となり、その結果発光管が速やかに始動して点灯する。
【００３６】
発光管が点灯すると、フィラメント電極加熱トランスのコアは、自己発熱や周囲温度の上昇に伴う熱伝導により温度が上昇してキュリー温度に到達するため、トランス作用が急激に低下する。そのため、フィラメント電極加熱トランスによるフィラメント電極の加熱は、実質的に停止される。その結果、フィラメント電極加熱トランスによって生じるフィラメント電極加熱損失は極端に少なくなる。なお、一対のフィラメント電極の温度は、放電によるイオン衝撃によって発熱して所要の程度に維持される。
【００３７】
一方、正特性非直線抵抗器は、通電による自己発熱や周囲温度の上昇に伴う伝導熱により、その温度が上昇するので、抵抗値が急激に上昇する。また、正特性非直線抵抗器の両端間に印加される電圧は、発光管が点灯すると、その一対の電極間の電圧が低下するので、正特性非直線抵抗器における電力損失は、極めてわずかになる。
【００３８】
本発明によれば、以上説明したように作用するので、安定点灯時のフィラメント電極加熱損失が低減してランプ効率が向上するとともに、点滅寿命回数が向上し、しかも適切なフィラメント電極加熱を行う電球形蛍光ランプを得ることができる。
【発明の効果】
【００３９】
請求項１ないし３の各発明によれば、放電ランプの点灯後の温度上昇によってフィラメント電極の加熱を実質的に停止するように低いキュリー温度を有するコアを備えたフィラメント電極加熱トランスを用いることにより、安定点灯時のフィラメント電極加熱損失が低減した放電ランプ点灯装置を提供することができる。
【００４０】
請求項２の発明によれば、加えて放電ランプを備えた放電ランプ点灯装置を提供することができる。
【００４１】
請求項３の発明によれば、加えて放電ランプに並列接続するとともにフィラメント電極加熱トランスの１次巻線と直列接続した正特性非直線抵抗器を具備していることにより、点滅寿命回数が向上するとともに、適切なフィラメント電極加熱を行う放電ランプ点灯装置を提供することができる。
【００４２】
請求項４の発明によれば、放電ランプの点灯後の温度上昇によってフィラメント電極の加熱を実質的に停止するように低いキュリー温度を有するコアを備えたフィラメント電極加熱トランスを用いるとともに、発光管に並列接続した正特性非直線抵抗器を具備していることにより、安定点灯時のフィラメント電極加熱損失が低減し、点滅寿命回数が向上するとともに、適切なフィラメント電極加熱を行う電球形蛍光ランプを提供することができる。
【発明を実施するための最良の形態】
【００４３】
以下、図面を参照して本発明を実施するための形態を説明する。
【００４４】
図１は、本発明の放電ランプ点灯装置を実施するための第１の形態を示す回路図である。図において、放電ランプ点灯装置は、放電ランプＤＬ、高周波点灯回路ＨＯＣおよびフィラメント電極加熱トランスＦＨＴからなり、入力端子ｔ１、ｔ２および出力端子ｔ３、ｔ４を備えている。
【００４５】
放電ランプＤＬは、蛍光ランプからなり、バルブ１および一対のフィラメント電極２ａ、２ｂを備えている。バルブ１は、透明ガラス管の両端を封止して形成されている。また、バルブ１の内面側には、図示を省略している蛍光体層が形成されている。また、バルブ１の内部には、水銀およびアルゴンからなる放電媒体が封入されている。一対のフィラメント電極２ａ、２ｂは、バルブ１の内部に形成された放電路の両端内部に封装されていて、その両端がバルブ１の外部に気密に導出されている。
【００４６】
高周波点灯回路ＨＯＣは、整流化直流電源、インバータおよび負荷回路ＬＣを具備している。整流化直流電源は、その入力端が入力端子ｔ１、ｔ２に接続し、低周波交流電源ＡＣから供給される低周波交流電圧を整流して直流電圧に変換する。インバータは、整流化直流電源から出力される直流電圧を高周波交流電圧に変換する。負荷回路ＬＣは、限流インダクタＬ１および共振コンデンサＣ１の直列回路を含み、入力端がインバータの出力端に接続し、出力端が出力端子ｔ３、ｔ４に接続している。
【００４７】
フィラメント電極加熱トランスＦＨＴは、単一の１次巻線ｗｐ、一対の２次巻線ｗｓ１、ｗｓ２およびコア３を具備している。１次巻線ｗｐは、高周波点灯回路ＨＯＣの出力端子ｔ３と放電ランプＤＬにおける一方の電極２ａの電源側端子との間に直列接続している。一方の２次巻線ｗｓ１は、放電ランプＤＬにおける一方の電極２ａの両端子に接続し、他方の２次巻線ｗｓ２は、放電ランプＤＬにおける他方の電極２ｂの両端子に接続している。コア３は、そのキュリー温度が３５℃より高くて、かつ、放電ランプＤＬの点灯後に到達するフィラメント電極加熱トランスＦＨＴの周囲の温度より低い温度に設定されていて、放電ランプＤＬが点灯すると、コア３がキュリー温度に到達してフィラメント電極加熱電圧が実質的になくなる。
【００４８】
図２は、本発明の放電ランプ点灯装置を実施するための第２の形態を示す回路図である。図において、図１と同一部分については同一符号を付して説明を省略している。本形態は、放電ランプＤＬに並列接続した正特性非直線抵抗器ＰＴＲを具備している点で第１の形態と異なる。正特性非直線抵抗器ＰＴＲは、放電ランプＤＬが点灯すると、抵抗値が高くなる。
【００４９】
図３ないし図５は、本発明の電球形蛍光ランプを実施するための一形態を示し、図３は点灯回路の回路図、図４は一部断面正面図、図５はグローブを透視した平面図である。各図において、図１および図２と同一部分については同一符号を付して説明は省略する。
【００５０】
まず、図３を参照して点灯回路ＯＣについて説明する。点灯回路ＯＣは、高周波点灯回路ＨＯＣ、フィラメント電極加熱トランスＦＨＴ、正特性非直線抵抗器ＰＴＲおよび放電ランプＤＬを備えて構成されている。高周波点灯回路ＨＯＣは、過電流フューズｆ、ノイズフィルタＮＦ、整流化直流電源ＲＤＣ、ハーフブリッジ形インバータＨＢＩおよび負荷回路ＬＣからなる。
【００５１】
過電流フューズｆは、配線基板ＰＢに一体に形成された細幅の導電パターンからなり、入力端子ｔ１に接続する線路に直列に挿入されている。
【００５２】
ノイズフィルタＮＦは、入力端子ｔ１、ｔ２間に並列に挿入されているコンデンサＣ２および後述する整流化直流電源ＲＤＣの高圧側の出力端に直列に挿入されたインダクタＬ２とからなる。
【００５３】
整流化直流電源ＲＤＣは、ブリッジ形整流回路ＢＲおよび出力端間に並列接続した平滑コンデンサＣ３からなる。
【００５４】
ハーフブリッジ形インバータＨＢＩは、第１および第２のスイッチング素子Ｑ１、Ｑ２および制御回路ＣＣからなる。第１のスイッチング素子Ｑ１は、Ｎチャンネル形ＭＯＳＦＥＴからなる。そして、第１のスイッチング素子Ｑ１のドレインが整流化直流電源ＲＤＣの正極に接続している。第２のスイッチング素子Ｑ２は、Ｐチャンネル形ＭＯＳＦＥＴからなる。そして、第２のスイッチング素子Ｑ２のソースが第１のスイッチング素子Ｑ１のソースに接続し、ドレインが整流化直流電源ＲＤＣの負極に接続することにより、第１および第２のスイッチング素子Ｑ１、Ｑ２の直列回路の両端間に平滑化直流電圧が印加される。
【００５５】
制御回路ＣＣは、帰還形駆動信号発生回路ＦＤＧおよび起動回路ＳＴからなる。帰還形駆動信号発生回路ＦＤＧは、帰還変圧器ＮＳＴ、ドライブ共振回路ＤＲＣおよびドライブ保護回路ＤＰからなる。帰還変圧器ＮＳＴは、コア、１次巻線ｎｐおよび２次巻線ｎｓからなる。コアは、ドラム形のフェライトコアによって構成されており、磁路が開放している。１次巻線ｗｐは、負荷回路ＬＣに直列に挿入されている。２次巻線ｗｓは、その一端が第１および第２のスイッチング素子Ｑ１、Ｑ２のソースに接続されている。
【００５６】
ドライブ共振回路ＤＲＣは、帰還変圧器ＮＳＴの２次巻線ｎｓおよびドライブ共振コンデンサＣ５を並列的に接続することにより、２次巻線ｎｓのインダクタンスとドライブ共振コンデンサＣ５の静電容量とで形成された直列共振回路である。そして、ドライブ共振回路ＤＲＣの共振出力は、結合コンデンサＣ７を介してハーフブリッジ形インバータＨＢＩの制御端である第１および第２のスイッチング素子Ｑ１、Ｑ２のゲートとソースの間に印加されている。そうして、２次巻線ｎｓに誘起される帰還電圧は、ドライブ共振回路ＤＲＣにおいて直列共振する。
【００５７】
ドライブ保護回路ＤＰは、一対のツェナーダイオードＺＤ１、ＺＤ２の逆直列回路からなり、第１および第２のスイッチング素子Ｑ１、Ｑ２のゲート・ソース間に接続されていて、所要の駆動電圧を越える電圧を吸収して、スイッチング素子Ｑ１、Ｑ２のゲートを過電圧から保護する。
【００５８】
起動回路ＳＴは、抵抗器Ｒ１、Ｒ２、Ｒ３およびコンデンサＣ９からなる。抵抗器Ｒ１は、第１のスイッチング素子Ｑ１のドレインとゲートとの間に接続している。抵抗器Ｒ２は、結合コンデンサＣ７に並列接続している。抵抗器Ｒ３およびコンデンサコンデンサＣ９は、第２のスイッチング素子Ｑ２のソース・ドレイン間に並列接続している。
【００５９】
負荷回路ＬＣは、直流カットコンデンサＣ４、限流インダクタＬ１および共振コンデンサＣ１の直列回路からなり、その一端が帰還変圧器ＮＳＴの１次巻線ｎｐの一端に接続し、他端が整流化直流電源ＲＤＣの負極に接続している。
【００６０】
次に、図４および図５を参照して電球形蛍光ランプのランプ構造について説明する。各図中、ＬＴは発光管、１１はカバー、１２は口金、１３はグローブ、１４は仕切り板、ＯＣは点灯回路である。
【００６１】
発光管ＬＴは、バルブ１ａ、蛍光体層、放電媒体および電極２ａ、２ｂを備えている点で図１に示す蛍光ランプと同様である。しかしながら、バルブ１ａは、４本の外径１０ｍｍのＵ字状ガラス管１ａ１を３つの連結管１ａ２によって連結し、かつ、各Ｕ字状ガラス管１ａ１が円周上に等配されるように形成されている。各Ｕ字状ガラス管１ａ１は、その両端にシール部が形成されているとともに、それぞれ１個の細管が一つのシール部から外部へ突出している。細管は、バルブ１ａの内部に連通している。そして、バルブ１ａの内部を排気し、主アマルガム（図示しない。）の収納や希ガスの封入する際に利用する。連結管１ａ２は、吹き破り法によって形成されている。蛍光体層は、図示を省略しているが、３波長発光形蛍光体を主体として構成されており、バルブ１ａの内面側に図示を省略しているアルミナ微粒子を主体とする保護膜を介して形成されている。放電媒体は、アルゴンおよび水銀からなる。水銀は、アマルガムおよびアルゴンから供給される。アマルガムは、主アマルガムおよび補助アマルガムからなる。主アマルガムは、バルブ１ａの細管内に収納されている。そして、主アマルガムは、Ｂｉ−Ｉｎ−Ｈｇからなる。補助アマルガム（図示しない。）は、主アマルガムの近傍に位置するように導入線に溶接されている。フィラメント電極２ａ、２ｂは、タングステン線からなる２重コイルにアルカリ土類金属からなる電子放射物質の酸化物を塗布してなる。
【００６２】
カバー１１は、白色の遮光性の耐熱性合成樹脂をカップ状の筒体に成形して構成されている。そして、基端が細く絞られ、先端が開口し、内部が空洞を形成していて、点灯回路ＯＣの殆どの部分を包囲している。
【００６３】
口金１２は、Ｅ２６形ねじ口金からなり、カバー１３の基端にポンチによる加締めによって装着されている。
【００６４】
グローブ１３は、透明ガラスバルブの内面に形成された光拡散性微粒子を含む塗付膜によって乳白色の光拡散性を備え、Ａ形をなしていて、発光管ＬＴを包囲している。そして、グローブ１３の基端がカバー３の先端の開口に接続して、グローブ１３およびカバー１２は、外囲器ＡＪを形成している。
【００６５】
仕切り板１４は、発光管ＬＴおよび配線基板ＰＢを支持しているとともに、外囲器ＡＪ内を発光室Ａと点灯回路収納室Ｂとに区分している。また、仕切り板６は、グローブ１３と一緒にカバー１２にシリコーン接着剤（図示しない。）により接着して固定している。
【００６６】
点灯回路ＯＣは、その回路構成の詳細については前述のとおりであるが、配線基板ＰＢに実装され、かつ、カバー１１の内部に配置されている。
【図面の簡単な説明】
【００６７】
【図１】本発明の放電ランプ点灯装置を実施するための第１の形態を示す回路図
【図２】本発明の放電ランプ点灯装置を実施するための第２の形態を示す回路図
【図３】本発明の電球形蛍光ランプを実施するための一形態を示す回路図
【図４】同じく一部断面正面図
【図５】同じくグローブを透視した平面図
【符号の説明】
【００６８】
１…バルブ、２ａ…フィラメント電極、２ｂ…フィラメント電極、３…コア、Ｃ１…共振コンデンサ、ＤＬ…放電ランプ、ＦＨＴ…フィラメント電極加熱トランス、ＨＯＣ…高周波点灯回路、Ｌ１…限流インダクタ、ＬＣ…負荷回路、ＯＣ…点灯回路、ＰＴＲ…正特性非直線抵抗器、ｗｐ…１次巻線、ｗｓ１…２次巻線、ｗｓ２…２次巻線
【図１】
2005340060.tif 000003
【図２】
2005340060.tif 000004
【図３】
2005340060.tif 000005
【図４】
2005340060.tif 000006
【図５】
2005340060.tif 000007